(57)【要約】【課題】溝路に配設された蓋受枠に安定して固定することができる溝蓋を提供する。【解決手段】蓋受枠４１に乗載する両側縁に、該蓋受枠４１と螺着させる固定用ボルト３１の頭部３３を収容する収容空域１７が形成されたボルト収容部１１を備え、側方に開口する挿入口部２１を介して頭部３３を該収容空域１７へ挿入し且つ該側方に開放された遊嵌孔２２の一側端から螺子部３２を挿入することによって、該固定用ボルト３１が、頭部３３を該収容空域１７に収容した状態でボルト収容部１１に取り付けられるものであるから、歩行の際の安全性を向上できると共に、該固定用ボルト３１による固定状態を比較的長期に亘って安定して保持できる。【選択図】図３
2018105061.tif 000002
【特許請求の範囲】
【請求項１】
少なくとも互いに対向する両側縁が、溝路に配設された蓋受枠に乗載されて、該溝路の上部開口を覆う溝蓋において、
前記蓋受枠に乗載される側縁の所定部位に一体的に設けられ、蓋上面の一部を構成する天板部と、壁部を介して該天板部の下方に配設された底板部とを備えてなるものであって、
天板部と底板部間に形成され、少なくとも一側方に開口する挿入口部から固定用ボルトの頭部を収容可能な収容空域と、
前記底板部に形成され、前記収容空域の挿入口部側に一側端が開放されて、前記固定用ボルトの螺子部を該一側端から挿入可能な長孔状の遊嵌孔と、
前記天板部に形成され、前記収容空域に頭部が収容された固定用ボルトを回転操作する操作用工具が挿通可能な操作孔と
が設けられてなるボルト収容部を備え、
前記ボルト収容部の収容空域に頭部が収容され且つ前記遊嵌孔に螺子部が挿通された前記固定用ボルトの該螺子部を、前記蓋受枠に螺着させることで、該蓋受枠に固定されるものであることを特徴とする溝蓋。
【請求項２】
ボルト収容部の収容空域に頭部が収容され且つ遊嵌孔に螺子部が挿通された固定用ボルトを、挿入口部から脱落不能とする脱落防止手段を備えていることを特徴とする請求項１に記載の溝蓋。
【請求項３】
ボルト収容部の挿入口部は、収容空域の横幅よりも狭く且つ固定用ボルトの頭部を挿入可能な開口幅で形成されたものであると共に、
脱落防止手段は、
弾性材により形成され、前記収容空域内に収容可能かつ前記挿入口部を通過不能な拡幅形態と、該挿入口部を通過可能な狭幅形態とに弾性変形可能であると共に、固定用ボルトの螺子部を挿通可能な透孔が形成されてなる脱落防止プレートを備え、
固定用ボルトの螺子部を前記透孔に挿通させた脱落防止プレートが、前記挿入口部を介して挿入された収容空域内で前記狭幅形態から拡幅形態に復元して脱落不能に収容されることによって、該固定用ボルトを挿入口部から脱落不能とするものであることを特徴とする請求項２に記載の溝蓋。
【発明の詳細な説明】
【技術分野】
【０００１】
本発明は、屋内や屋外の通路の側部に設けられた側溝や該通路を横断するように設けられた横断溝等の溝路に、該溝路に配設された蓋受枠を介して被着される溝蓋に関する。
【背景技術】
【０００２】
側溝や横断溝等の溝路の上部開口を覆う溝蓋は、該溝路の上部に配設された蓋受枠に乗載されて、該溝路に着脱可能に被着されている。ここで、溝蓋を単純に蓋受枠に乗載しただけの状態では、人や自動車の通行によって溝蓋がガタ付いて騒音が発生したり、自動車の通行による衝撃で被着位置からズレるという不具合が生ずる。
【０００３】
このような不具合の発生を防止するために、蓋受枠に乗載された溝蓋を該蓋受枠に固定する構成が知られている。例えば特許文献１には、溝路の上部に配設された溝受枠にボルトを立設する一方、該ボルトに対応する溝蓋の下面の所定位置に、ボルト挿通孔を備えた底板を配設し、該底板のボルト挿通孔に下方から挿通させた前記ボルトにナットを螺合させて緊締することにより、溝蓋を蓋受枠に固定するようにした構成が開示されている。かかる構成の溝蓋には、前記底板上に、上方開口された収容凹部が形成され、該収容凹部内に、前記ボルトに螺合させたナットを収容し、かつ該ナットを回転操作させるボックスレンチの先端部を挿入できるようになっている。また、こうした収容凹部にキャップを嵌合し、該キャップにより該収容凹部を塞ぐようにした構成もある。
【先行技術文献】
【特許文献】
【０００４】
【特許文献１】特開２０００−４５３７６号公報（段落番号０００２、図１０参照）
【発明の概要】
【発明が解決しようとする課題】
【０００５】
ところで、上述した特許文献１に開示された従来構成にあっては、溝蓋に形成された収容凹部が、ナットを回転操作するボックスレンチの先端部を挿入できるように、上方に比較的大きく開口した形状に形成されていた。そのため、この収容凹部が開口したままでは、該収容凹部にハイヒールの踵や杖の先端が嵌まり易いことから、上記のようにキャップを取り付けて該収容凹部を塞ぐようにしていた。しかし、このキャップは、一般的に、取り付け易く且つ取り外し易いように、収容凹部に嵌め込まれるだけであったことから、自動車や自転車等の通行による衝撃で浮き上がったり、外れたりする虞があった。そして、キャップが外れてしまうと、収容凹部が露出することから、前記のようにハイヒールの踵などが嵌まり易いという問題が生じると共に、溝蓋の美観を損ねてしまうという問題も生じていた。さらに、前記のようにキャップは取り外し易いことから、該キャップを取り外してナットを緩める等のいたずらをされる虞もあった。
【０００６】
本発明は、上述した問題点を解決し得るものであって、上方開口する収容凹部を設けないことで、通行の安全性を確保しつつ、蓋受枠に安定して固定し得る溝蓋を提供することを目的とするものである。
【課題を解決するための手段】
【０００７】
本発明は、少なくとも互いに対向する両側縁が、溝路に配設された蓋受枠に乗載されて、該溝路の上部開口を覆う溝蓋において、前記蓋受枠に乗載される側縁の所定部位に一体的に設けられ、蓋上面の一部を構成する天板部と、壁部を介して該天板部の下方に配設された底板部とを備えてなるものであって、天板部と底板部間に形成され、少なくとも一側方に開口する挿入口部から固定用ボルトの頭部を収容可能な収容空域と、前記底板部に形成され、前記収容空域の挿入口部側に一側端が開放されて、前記固定用ボルトの螺子部を該一側端から挿入可能な長孔状の遊嵌孔と、前記天板部に形成され、前記収容空域に頭部が収容された固定用ボルトを回転操作する操作用工具が挿通可能な操作孔とが設けられてなるボルト収容部を備え、前記ボルト収容部の収容空域に頭部が収容され且つ前記遊嵌孔に螺子部が挿通された前記固定用ボルトの該螺子部を、前記蓋受枠に螺着させることで、該蓋受枠に固定されるものであることを特徴とする溝蓋である。
【０００８】
ここで、蓋受枠としては、溝路の上部に配設される左右の支持枠と、該支持枠間に差し渡された複数の蓋受杆によって構成されて、該蓋受杆上に、溝蓋の長手方向の両側縁を乗載するものが適用され得る。この場合には、溝蓋の長手方向の両側縁に、ボルト収容部が設けられる。他の溝受枠としては、水平縁部と該水平縁部の外端から立ち上がる垂直縁部とを備え、溝路の上部内縁に左右一対で配設されて、両水平縁部上に溝蓋の左右側縁を乗載するものが適用され得る。この場合には、溝蓋の左右側縁に、ボルト収容部が設けられる。また、ボルト収容部は、鋳造等により溝蓋に一体成形される構成、溶接やボルト等により接合されて溝蓋に一体化される構成のいずれであっても良い。また、挿入口部の一側方は、適宜設定できるものであるが、ボルト収容部を設けた側縁の外側方とすることが好適である。すなわち、前記のように蓋受杆に長手方向の両側縁を乗載する場合には、挿入口部が、前記長手方向の外側方に開口する構成であることが好適であり、一方、前記のように両水平縁部上に左右側縁を乗載する場合には、挿入口部が、該左右の外側方に開口する構成であることが好適である。
【０００９】
かかる構成にあっては、挿入口部を介して固定用ボルトの頭部を収容空域に挿入し且つ螺子部を遊嵌孔に挿入することにより、該固定用ボルトを、その頭部を収容空域内に収容し且つ螺子部を遊嵌孔に挿通させた状態（以下、取付状態という）で配することができる。そして、本構成は、固定用ボルトの頭部を収容する収容空域が、蓋上面の一部を構成する天板部で塞がれ、側方に開口する挿入口部から該頭部を収容するものである。さらに、収容空域に頭部を収容した固定用ボルトの回転操作には、比較的細い杆状のドライバーや六角レンチ等が適用され得ることから、天板部の操作孔が比較的小さな孔径のものでよい。こうしたことから、本構成は、収容空域上に、上述した従来構成のようなハイヒールの踵や杖の先端等が嵌まり易い上方開口や孔が形成されず、これらを塞ぐキャップも必要ない。したがって、本構成によれば、上述した従来構成のように、ハイヒールの踵や杖の先端等が嵌まり易いという問題を生じないと共に、自動車等の通行によってキャップ等が外れてしまうという問題も生じない。さらに、溝蓋の天井の一部を構成する天板部により、該溝蓋の美観も維持できる。
【００１０】
また、溝蓋は、一般的に、蓋受枠に乗載されて施工された状態で、該溝蓋の側縁（長手方向の側縁および幅方向の左右側縁）が地上に露出しない。そのため、本発明の溝蓋を敷設した状態では、固定用ボルトを挿入する挿入口部と遊嵌孔とが露出せず、上記した従来構成のようないたずらを防止することができる。
【００１１】
上述した本発明の溝蓋にあって、ボルト収容部の収容空域に頭部が収容され且つ遊嵌孔に螺子部が挿通された固定用ボルトを、挿入口部から脱落不能とする脱落防止手段を備えている構成が提案される。
【００１２】
かかる構成にあっては、脱落防止手段が、ボルト収容部に取り付けた固定用ボルトを脱落不能とするものであり、換言すると、該固定用ボルトを上記の取付状態で保持できる。そのため、施工現場での作業の際に、ボルト収容部に取り付けた固定用ボルトが落下してしまうことが無く、該落下による紛失や作業の繁雑化を生じないという優れた効果を奏し得る。さらに、固定用ボルトの落下を防止できることから、施工現場へ運搬する前に、溝蓋に固定用ボルトを取り付けることによって、該施工現場での作業負担を軽減することもできる。
【００１３】
上述した本発明の溝蓋にあって、ボルト収容部の挿入口部は、収容空域の横幅よりも狭く且つ固定用ボルトの頭部を挿入可能な開口幅で形成されたものであると共に、脱落防止手段は、弾性材により形成され、前記収容空域内に収容可能かつ前記挿入口部を通過不能な拡幅形態と、該挿入口部を通過可能な狭幅形態とに弾性変形可能であると共に、固定用ボルトの螺子部を挿通可能な透孔が形成されてなる脱落防止プレートを備え、固定用ボルトの螺子部を前記透孔に挿通させた脱落防止プレートが、前記挿入口部を介して挿入された収容空域内で前記狭幅形態から拡幅形態に復元して脱落不能に収容されることによって、該固定用ボルトを挿入口部から脱落不能とするものである構成が提案される。
【００１４】
かかる構成にあって、脱落防止プレートは、狭幅形態に弾性変形させることで、挿入口部を介して収容空域に収容でき、収容空域内で復元弾力により拡幅形態に復元されると、該挿入口部の口縁によって該挿入口部からの脱出が妨げられることから、該収容空域内で脱落不能に収容される。本構成によれば、固定用ボルトの螺子部を前記透孔に挿通させた脱落防止プレートを、前記狭幅形態に弾性変形させることで、該固定用ボルトの頭部と共に前記挿入口部から挿入できる。そして、収容空域に挿入されると、脱落防止プレートが狭幅形態から拡幅形態に復元することから、該収容空域内で脱落不能に収容され、これに伴って、固定用ボルトの頭部も収容空域内から脱出不能となるため、該固定用ボルトを上記した取付状態で脱落不能に保持できる。このように脱落防止プレートは、その弾性によって、収容空域に比較的容易に挿入できると共に、収容空域内で脱落不能に安定して収容されることから、固定用ボルトと共に取り付ける作業を容易に実施でき、取り付けた固定用ボルトを脱落不能で安定して保ち得る。したがって、本構成によれば、施工現場および該施工現場への運搬中に固定用ボルトの落下を防止できるという上述の作用効果と、施工現場での作業負担と軽減できるという上述の作用効果とが、安定して発揮され得る。
【００１５】
また、こうした脱落防止プレートは、比較的単純な形態で成形できることから、その製造に要するコストと時間とを抑制できるという優れた利点も有する。
【発明の効果】
【００１６】
本発明の溝蓋は、上述したように、側方に開口する挿入口部から頭部を挿入し且つ該側方に開放された遊嵌孔の一側端から螺子部を挿入することによって、固定用ボルトが、該頭部を収容空域に収容し且つ螺子部を遊嵌孔に挿通させた状態で取り付けられるものであり、該収容空域が、蓋上面を構成する天板部により塞がれていることから、上述した従来構成のように上方開口する収容凹部やキャップ等を要しないことから、歩行の際の安全性を向上でき、かつ該固定用ボルトによる固定状態を比較的長期に亘って安定して保持できる。さらに、施工状態で、前記挿入口部や遊嵌孔が露出しないため、いたずら等の被害を可及的に防止できる。
【図面の簡単な説明】
【００１７】
【図１】実施例にかかる溝蓋１の施工状態を示す縦断面図である。
【図２】溝蓋１の施工状態を、コンクリート６１やタイル６２等を省略して示す平面図である。
【図３】図１中のＸ−Ｘ線断面図である。
【図４】溝蓋１の施工状態を、コンクリート６１やタイル６２等を省略して示す斜視図である。
【図５】蓋受枠４１を溝路５１に配設した状態を示す斜視図である。
【図６】（Ａ）溝蓋１の一側端部を示す平面図と、（Ｂ）溝蓋１を一側からみた側面図である。
【図７】（Ａ）図６中のＹ−Ｙ線断面図と、（Ｂ）図６中のＺ−Ｚ線断面図である。
【図８】溝蓋１の一部分を切り欠いて示す斜視図である。
【図９】（Ａ）固定用ボルト３１と脱落防止プレート２５との分解斜視図と、（Ｂ）固定用ボルト３１の螺子部３２を脱落防止プレート２５の透孔２８に挿通させた状態を示す斜視図である。
【図１０】（Ａ）脱落防止プレート２５の常態を示す側面図と、（Ｂ）脱落防止プレート２５の狭幅形態を示す側面図である。
【図１１】脱落防止プレート２５を溝蓋１の収容空域１７に挿入する過程を示す説明図である。
【図１２】脱落防止プレート２５を収容空域１７に収容した状態を示す説明図である。
【図１３】（Ａ）脱落防止プレート２５を挿入口部２１に挿入途中の状態を示す説明図と、（Ｂ）脱落防止プレート２５を収容空域１７に収容した状態と示す説明図である。
【発明を実施するための形態】
【００１８】
本発明にかかる実施例を添付図面に従って説明する。
溝路５１は、図１に示すように、断面略Ｕ字形のＵ字溝ブロック５２を地盤の所定深さ位置に一列状に埋設して構成される。そして、この溝路５１の上部に蓋受枠４１が配設される。蓋受枠４１は、Ｕ字溝ブロック５２を構成する左右の側壁５３，５３に対向状に夫々配設される左右一対の支持枠４２，４２と、該左右の支持枠４２，４２間に横架された複数の連結杆４８と、該支持枠４２，４２の上部間に差し渡された蓋受杆４９とから構成されており、該連結杆４８によって左右の支持枠４２，４２が連結されている。ここで、支持枠４２は、図１，２，４，５に示すように、Ｕ字溝ブロック５２の側壁５３上に乗載される水平縁部４３と、該水平縁部４３の内端から立ち上がる垂直縁部４４とを備えており、その長さは、Ｕ字溝ブロック５２の数個分の長さに相当する所定長さとなっている。左右の支持枠４２，４２は、各水平縁部４３，４３の外側縁が前記側壁５３，５３上に夫々乗載されて、各垂直縁部４４，４４が溝路５１の上部の略中央で所定間隔をおいて対向配置される。そして、両垂直縁部４４，４４間に、前記Ｕ字溝ブロック５２の上部開口よりも狭い幅の通水口部４６が形成されると共に、該通水口部４６以外の該上部開口が、両支持枠４２，４２の水平縁部４３，４３で遮蔽される。このように溝路５１は、左右の支持枠４２，４２が配設された状態で、通水口部４６で上方開口することから、該通水口部４６により該溝路５１の上部開口が構成される。こうした支持枠４２は、スチール鋼やステンレス鋼等の金属製板材を加工して成形できるものであり、例えば、一枚の金属板を断面Ｌ形に屈曲させて形成してもよいし、二枚の金属板を溶接によって断面Ｌ形となるように接合させて形成することも可能である。
【００１９】
また、上記の連結杆４８は、金属製の角パイプからなり（図３参照）、長手方向に所定間隔をおいて複数配設されている。各連結杆４８は、図１，２，４，５に示すように、支持枠４２，４２の水平縁部４３，４３の上面に当接して配設されて、垂直縁部４４，４４に夫々形成された貫通孔（図示せず）に挿通された状態で、該水平縁部４３，４３または水平縁部４３，４３および該貫通孔の孔縁に、溶接によって接合されている。こうして支持枠４２，４２を連結した各連結杆４８は、その両端部が、溝路５１を構成する左右の側壁５３，５３の上面に、両支持枠４２，４２の水平縁部４３，４３を介して乗載される。さらに、各連結杆４８の両端部には、溶接によって接合された固定板（図示せず）が、前記側壁５３の外壁面に沿って下方に垂設されており、該固定板に螺子杆（図示せず）が外側方から螺合されている。そして、左右の螺子杆の先端部を側壁５３，５３の外壁面に圧接させることにより、その緊締作用を介して、連結杆４８および支持枠４２，４２を側壁５３，５３に固定している。尚、このように固定された状態において、図１に示すように、左右の支持枠４２，４２の水平縁部４３，４３上に、溝路５１の周囲上部に敷設されるコンクリート６１やタイル６２等が連続状に敷設されている。
【００２０】
さらに、上記の蓋受杆４９は、金属製の角パイプからなり（図３参照）、図２に示すように、後述する溝蓋１の、その少なくとも長手方向の両側端近傍部に対応する位置に、夫々配設されている。各蓋受杆４９は、その両端部が、左右の支持枠４２，４２の垂直縁部４４，４４の上端部に溶接により接合されている。そして、蓋受杆４９を垂直縁部４４に接合する高さ位置は、該蓋受杆４９に溝蓋１を乗載した状態で、該溝蓋１の蓋上面が垂直縁部４４の上端と略一致するように、設定されている。
【００２１】
こうした蓋受枠４１には、図１〜４に示すように、支持枠４２，４２の各垂直縁部４４，４４間に形成された通水口部４６に、溝蓋１が配設される。溝蓋１は、その長手方向の両側縁部が上記の蓋受杆４９に乗載されて配設される。溝蓋１は、鋳造により一体成形された鋳鉄製であり、図２に示すように、幅方向の両側に夫々配設された長手方向のメイン側杆部２と、両メイン側杆部２間で長手方向に沿って配設された複数のメイン杆部３と、長手方向の両側に夫々配設された幅方向のクロス側杆部４と、各メイン杆部３と直交する適数のクロス杆部５とを備えてなる。そして、メイン側杆部２とメイン杆部３とは、所定間隔をおいて略平行に設けられていると共に、クロス側杆部４とクロス杆部５とは、略平行に設けられている。そして、これらメイン側杆部２、メイン杆部３、クロス側杆部４、およびクロス杆部５とは、夫々交わる部位で連成されている。
【００２２】
ここで、メイン側杆部２とメイン杆部３とは、図７（Ｂ）に示すように、断面台形状の杆上部２ａ，３ａと、該杆上部２ａ，３ａから下方へ夫々突出された断面倒台形状の主杆部２ｂ，３ｂとから構成されている。そして、メイン側杆部２とメイン杆部３とは、各杆上部２ａ，３ａとがクロス側杆部４およびクロス杆部５よりも上方に突出するように設けられており、各杆上部２ａ，３ａにより溝蓋１の蓋上面が構成されている。また、メイン側杆部２の主杆部２ｂは、メイン杆部３の主杆部３ｂよりも下方に突出するように形成されている。一方、クロス側杆部４は、前記メイン側杆部２の主杆部２ｂと同じ断面倒台形状に形成されていると共に、クロス杆部５は、前記メイン杆部３の主杆部３ｂと同じ断面倒台形状に形成されている。
【００２３】
こうした溝蓋１は、上述した通水口部４６に被着されるものであり、該通水口部４６を形成する両垂直縁部４４，４４の間隔よりも若干狭い幅寸法を成すものである。そして、メイン側杆部２と各メイン杆部３の夫々の間隔が、ハイヒールの踵や杖の先端が嵌まり難い比較的狭い間隔となっている。
【００２４】
次に、本発明の要部について説明する。
上記の溝蓋１には、図１〜４に示すように、長手方向の両側縁に、該溝蓋１を支持枠４２，４２に固定するための固定用ボルト３１を配するボルト収容部１１が夫々設けられている。一方、溝蓋１の長手方向の両側縁部が夫々乗載される蓋受杆４９には、図１，５に示すように、前記ボルト収容部１１の直下に位置するように固定片部３５が略水平方向に沿って突成されており、該固定片部３５に前記固定用ボルト３１の螺子部３２と螺合されるナット部材３６が溶接により接合されている。また、前記固定用ボルト３１は、図９に示すように、六角レンチを嵌入可能な六角穴（図示せず）が設けられた頭部３３と、頭部３３の下端から突出された螺子部３２とを備えたものであり、所謂六角穴付きボルトである。そのため、後述する操作孔２４を挿通させた六角レンチによって、固定用ボルト３１を回転操作できる。尚、本実施例にあっては、円板状の座金（図示せず）を備えた座金組込六角穴付きボルトを用いている。
【００２５】
上記のボルト収容部１１は、鋳造により溝蓋１と一体的に成形される。ボルト収容部１１は、図６〜８に示すように、各メイン杆部３の長手方向一側縁から外方に延成された天板部１２と、該天板部１２の下方に配設された底板部１３とを備える。天板部１２は、メイン杆部３の杆上部３ａと同じ断面略台形状をなし、各メイン杆部３の杆上部３ａから延成されてなる。そして、天板部１２は、その外側端がクロス側杆部４の上端に夫々連成されており、メイン側杆部２の杆上部２ａおよびメイン杆部３の杆上部３ａと共に蓋上面を構成する。尚、天板部１２は、メイン杆部３のような主杆部３ｂを備えず、底板部１３との間に後述する収容空域１７を形成している。また、底板部１３は、両メイン側杆部２，２の一側端部１５，１５と、一側のクロス側杆部４の下端に連成されている。さらに、各クロス側杆部４から長手方向に所定間隔をおいてクロス壁部１４が形成されており、該クロス壁部１４の下端が前記底板部１３に連成されている。このように底板部１３は、その周縁が、両メイン杆部３の端部１５，１５とクロス側杆部４とクロス壁部１４とに連成されており、これら端部１５，１５とクロス側杆部４とクロス壁部１４とによって、ボルト収容部１１の壁部１６が構成されている。ボルト収容部１１は、前記天板部１２と、底板部１３と、壁部１６とを備え、これらの内部に略長方体状の空隙を有し、該内部空隙により本発明にかかる収容空域１７が形成されている。
【００２６】
上記の収容空域１７は、固定用ボルト３１の頭部３３を収容可能であり、収容した状態で頭部３３を回転可能なスペースを有している（図１２，１３参照）。すなわち、収容空域１７の高さは、固定用ボルト３１の頭部３３の高さよりも高く、収容空域１７の幅と奥行き（長手方向の幅）とは、該頭部３３の外径よりも大きい。
【００２７】
さらに、ボルト収容部１１は、図８，１３に示すように、壁部１６を構成するクロス側杆部４に、固定用ボルト３１の頭部３３を通過可能とする挿入口部２１が開口形成されている。この挿入口部２１は、クロス側杆部４の幅方向の略中央に設けられており、上記した収容空域１７の幅（幅方向の寸法）よりも狭い開口幅で形成されている（図６参照）。この挿入口部２１を介して、固定用ボルト３１の頭部３３を収容空域１７に挿入することができる（図１１〜１３参照）。
【００２８】
上記の底板部１３には、図８，１２に示すように、クロス側杆部４側に開放された長孔状の遊嵌孔２２が形成されている。この遊嵌孔２２は、クロス側杆部４側の一側端２２ａが外方に開放されて、該一側端２２ａから長手方向に沿って収容空域１７の奥方に延成された長孔状に形成されてなるものであり、該クロス側杆部４側の一側端２２ａから固定用ボルト３１の螺子部３２を挿入可能に形成されている。すなわち、遊嵌孔２２は、孔幅が固定用ボルト３１の螺子部３２の外径よりも大きく、該螺子部３２を挿通させた状態で回転可能である。
【００２９】
こうしたボルト収容部１１には、固定用ボルト３１の頭部３３を挿入口部２１から挿入させると共に螺子部３２を遊嵌孔２２の一側端２２ａから挿入させることにより、図１２，１３に示すように、該固定用ボルト３１が、頭部３３を収容空域１７に収容し且つ螺子部３２を遊嵌孔２２に挿通した状態（以下、取付状態という）で取り付けられる。ここで、収容空域１７の奥行きが頭部３３の外径よりも大きく且つ遊嵌孔２２が長手方向に長孔状であることから、前記の取付状態で、固定用ボルト３１の長手方向位置を若干変えることが可能である。すなわち、この取付状態とは、固定用ボルト３１の特定位置を示すものでなく、単に頭部３３が収容空域１７に収容され且つ螺子部３２が遊嵌孔２２に挿通されている状態を示している。このように取付状態とした固定用ボルト３１は、上述したように溝蓋１を蓋受杆４９に乗載した際に、該蓋受杆４９の固定片部３５のナット部材３６に合わせるように位置調整することができる。
【００３０】
上記の天板部１２には、図６〜８に示すように、固定用ボルト３１を回転操作する六角レンチを挿通でき且つ挿通した状態で該六角レンチを回転操作できる操作孔２４が形成されている。この操作孔２４は、長手方向に長孔状に形成されており、上述したように取付状態で長手方向に位置調整される固定用ボルト３１に合わせて、六角レンチの挿通位置を長手方向で変えることができるようになっている。こうした固定用ボルト３１を操作するための六角レンチは、比較的細い杆状のものであることから、前記操作孔２４は、この六角レンチを挿通できる程度の細い孔幅であれば良い。そのため、操作孔２４は、上記したメイン杆部３，３間の間隔と同様に、ハイヒールの踵や杖の先端が嵌まり難い孔幅で形成されている。尚、固定用ボルト３１を回転操作するための六角レンチが、本発明にかかる操作用工具である。
【００３１】
また、本実施例にあっては、上記の取付状態とした固定用ボルト３１をボルト収容部１１から脱落不能とする脱落防止プレート２５を備えている。脱落防止プレート２５は、図９に示すように、矩形平板状の支持板部２６と、該支持板部２６の左右両側縁から斜め上方に延成された係止側部２７，２７とを備えてなり、薄厚のバネ用ステンレス鋼帯（例えば、ＳＵＳ３０４−ＣＳＰ）を折曲加工することで形成される。そして、支持板部２６の略中央には、固定用ボルト３１の螺子部３２を挿通可能な透孔２８が形成されている。
【００３２】
ここで、支持板部２６は、その左右幅が、上記したボルト収容部１１の挿入口部２１の開口幅よりも短いと共に、前後幅（前記左右幅と直交する方向の幅）が、上記した収容空域１７の奥行きよりも短い（図１２，１３参照）。そして、支持板部２６の左右幅と前後幅とは、固定用ボルト３１の頭部３３の外径よりも若干大きい。一方、係止側部２７，２７は、略左右対称に形成されており、内端（支持板部２６との境界）から外端までの長さが該挿入口部２１の高さ寸法よりも短く、前後幅が支持板部２６と同じである。そして、脱落防止プレート２５は、その左右長さが、前記挿入口部２１の開口幅よりも長く且つ前記収容空域１７の幅寸法よりも短く、さらに高さが、該挿入口部２１の高さよりも低くなっている。尚、係止側部２７，２７の傾斜角度は、適宜設定できる。
【００３３】
脱落防止プレート２５は、常態で（図１０（Ａ））、ボルト収容部１１の挿入口部２１を通過不能である一方、弾性変形可能であることから、左右の係止側部２７，２７を、支持板部２６との境界部分で内側へ折り曲げるように弾性変形させることで（図１０（Ｂ））、図１１，１３（Ａ）のように、該挿入口部２１を通過可能である。そして、挿通口部２１を通過させて収容空域１７内に入ると、図１２，１３（Ｂ）のように、常態に復元して、該収容空域１７内に収容される。このように収容空域１７に収容された脱落防止プレート２５は、該収容空域１７内で常態となることから、挿入口部２１側へ引っ張っても、係止側部２７，２７が挿入口部２１の両側口縁部に当たって外方への移動を妨げられ、該挿入口部２１を通過できない。そのため、脱落防止プレート２５は、収容空域１７内に脱落不能に収容される。尚、脱落防止プレート２５にあって、常態が本発明にかかる拡幅形態に相当すると共に、前記のように左右の係止側部２７，２７を内側へ弾性変形させた状態が、本発明にかかる狭幅形態に相当する。また、挿入口部２１の両側口縁部は、上記したクロス側杆部４の一部である。
【００３４】
こうした脱落防止プレート２５は、上述した固定用ボルト３１をボルト収容部１１に脱落不能に取り付けるためのものである。すなわち、収容空域１７に収容される前の常態で、脱落防止プレート２５の透孔２８に上方から固定用ボルト３１の螺子部３２を挿通させる（図９（Ｂ）参照）。そして、螺子部３２を透孔２８に挿通させたまま、脱落防止プレート２５を常態（拡幅形態）から上記の狭幅形態に弾性変形させて、該狭幅形態でボルト収容部１１の挿入口部２１に外側方から挿入させる（図１０，１１参照）。この際に、狭幅形態の脱落防止プレート２５と該脱落防止プレート２５の係止側部２７，２７間に位置する固定用ボルト３１の頭部３３とが、挿入口部２１に外側方から挿入されると共に、該固定用ボルト３１の螺子部３２が遊嵌孔２２にその一側端２２ａから挿入される。そして、固定用ボルト３１の頭部３３と脱落防止プレート２５とが挿入口部２１を通過して収容空域１７内に入ると、該脱落防止プレート２５が狭幅形態から常態（拡幅形態）に復元される。このように脱落防止プレート２５が収容空域１７に収容されると、該脱落防止プレート２５が挿入口部２１から脱出できないことから、該脱落防止プレート２５の透孔２８を介して遊嵌孔２２に螺子部３２を挿通された固定用ボルト３１も、該脱落防止プレート２５によって脱落不能となる。
【００３５】
次に、本実施例の溝蓋１を、溝路５１の通水口部４６に被着する態様について説明する。
溝路５１には、上述したように、左右の側壁５３，５３に蓋受枠４１，４１が配設されており、支持枠４２，４２の垂直縁部４４，４４間に前記通水口部４６が形成されている（図５参照）。この通水口部４６を形成する左右の垂直縁部４４，４４に差し渡された複数の蓋受杆４９に、溝蓋１を乗載する。
【００３６】
溝蓋１には、通水口部４６に被着する前に、長手方向の両側縁部の各ボルト収容部１１に脱落防止プレート２５と固定用ボルト３１とが装着される。固定用ボルト３１は、上述したように、脱落防止プレート２５によって、頭部３３が収容空域１７に収容された取付状態でボルト収容部１１に脱落不能に取り付けられていることから、溝蓋１を通水口部４６に被着する作業の際に、落下することが無い。このように固定用ボルト３１を装着した溝蓋１（図１２参照）を、その長手方向の両側縁部を溝受杆４９，４９に夫々乗載させて、通水口部４６に被着させる（図２参照）。そして、溝蓋１の乗載位置を調整することで、各ボルト収容部１１の固定用ボルト３１を、蓋受杆４９，４９に夫々配設された固定片部３５のナット部材３６上に合わせる。
【００３７】
こうして溝蓋１を蓋受杆４９，４９に乗載すると、ボルト収容部１１の操作孔２４に六角レンチを挿通させて、該六角レンチにより固定用ボルト３１を回転操作することにより、該固定用ボルト３１を前記固定片部３５のナット部材３６に螺合させる。ここで、六角レンチで回転操作する際に、該六角レンチにより固定用ボルト３１の頭部３３を収容空域１７内で遊嵌孔２２に沿って動かすことで、該固定用ボルト３１の螺子部３２が上記固定片部３５のナット部材３６の直上に位置するように、該固定用ボルト３１の位置を調整できる。これにより、固定用ボルト３１をナット部材３６に螺合させ易い。このように固定用ボルト３１とナット部材３６とを螺合させ、該螺合による緊締作用によって、溝蓋１を、その長手方向の両側縁部を乗載した溝受杆４９，４９に固定できる。
【００３８】
実施例の溝蓋１にあっては、上述したように、固定用ボルト３１の頭部３３を収容する収容空域１７を有するボルト収容部１１を、蓋受杆４９，４９に乗載される両側縁部に設けたものであり、側方に開口する挿入口部２１と遊嵌孔２２の一側端２２ａとを介して固定用ボルト３１を挿入することで該ボルト収容部１１に取り付けできると共に、取り付けた固定用ボルト３１を、該収容空域１７の上方を塞ぐ天板部１２の操作孔２４から挿通された六角レンチにより回転操作できる。そして、固定用ボルト３１の頭部３３を挿入するために比較的大きく開口する挿入口部２１が、溝蓋１の側方に設けられており、溝路５１に被着された状態で露出しないことから、蓋上面に、上述した従来構成のように上方に比較的大きく開口する凹部が形成されないと共に、該凹部を塞ぐためのキャップも必要としない。すなわち、本実施例の構成は、上述した従来構成のようにハイヒールの踵や杖の先端が嵌まり易い凹部を有しておらず、かつ自動車の通行によって外れることが懸念されるキャップも有しない。而して、本実施例の構成によれば、歩行の際の安全性を向上できると共に、溝路５１に配設した蓋受枠４１，４１に固定した状態で安定して保持できる。さらに、キャップを外す等のいたずらを防止できると共に、溝蓋１の美観を維持できる。
【００３９】
また、本実施例は、固定用ボルト３１を脱落防止プレート２５によって脱落不能にボルト収容部１１に取り付けるものであるから、施工現場で溝蓋１を敷設する作業中に固定用ボルト３１が落下してしまうことを防止できる。さらに、施工現場への運搬前に取り付けることで、施工作業の際に、固定用ボルト３１を取り付ける作業を必要としないと共に、施工現場への運搬作業の際に、該固定用ボルト３１を落下させて紛失してしまうことも無い。そのため、施工現場での作業負担を軽減することができる。また、脱落防止プレート２５は、比較的単純な構造であることから、製造が容易であると共に、ボルト収容部１１への取り付けも容易である。そのため、脱落防止プレート２５を取り付けるために要する作業負担を可及的に軽減できるという優れた利点も有する。
【００４０】
本発明にあっては、上述した実施例に限定されるものではなく、この実施例以外の構成についても本発明の趣旨の範囲内で適宜変更して実施可能である。
上述した実施例の溝蓋１は、その長手方向の両側縁を、左右の支持枠４２，４２の垂直縁部４４，４４間に差し渡された蓋受杆４９に乗載するようにしたものであるが、これに限らず、溝路の左右側壁に配設した断面Ｌ形の蓋受枠に、左右の両側縁（幅方向の両側縁）を乗載するようにした構成であっても良い。この構成の場合には、溝蓋の左右側縁に、実施例と同様のボルト収容部が夫々形成された構成とすることで、該実施例と同じ作用効果を奏し得る。
【００４１】
また、上述した実施例では、溝蓋１の長手方向の両側縁にボルト収容部１１を一個づつ設けた構成であるが、該ボルト収容部の配設個数は、溝蓋のサイズや蓋受枠の受枠構造などに応じて適宜設定することができる。
【００４２】
また、上述した実施例では、固定用ボルト３１を脱落不能とする脱落防止プレート２５を備えた構成であるが、脱落防止プレート２５の形態は実施例に限らず、適宜変更できる。例えば、脱落防止プレートの左右の係止側部が湾曲した形状であっても良い。また、脱落防止プレートに代えて、針金等の棒状弾性体により形成された脱落防止部材を使用することも可能である。
【００４３】
上述の実施例では、固定用ボルト３１と螺合するナット部材を固定片部を介して蓋受杆に接合した構成としたが、該固定用ボルト３１と螺合される部材は、これに限らず、他の構成のものを使用することも可能である。例えば、固定片部に、固定用ボルト３１と螺合する螺子孔を形成したり、蓋受杆に、該螺子孔やナット部材を設けたりすることも可能である。
【符号の説明】
【００４４】
１  溝蓋
１１  ボルト収容部
１２  天板部
１３  底板部
１６  壁部
１７  収容空域
２１  挿入口部
２２  遊嵌孔
２４  操作孔
２５  脱落防止プレート
２８  透孔
３１  固定用ボルト
３２  螺子部
３３  頭部
４１  蓋受枠
５１  溝路
【図１】
2018105061.tif 000003
【図２】
2018105061.tif 000004
【図３】
2018105061.tif 000005
【図４】
2018105061.tif 000006
【図５】
2018105061.tif 000007
【図６】
2018105061.tif 000008
【図７】
2018105061.tif 000009
【図８】
2018105061.tif 000010
【図９】
2018105061.tif 000011
【図１０】
2018105061.tif 000012
【図１１】
2018105061.tif 000013
【図１２】
2018105061.tif 000014
【図１３】
2018105061.tif 000015